(57)【要約】【課題】急速且つ鋭利に頭髪を切断でき、切断速度と効率をアップして頭髪の損傷を防ぎ、電動バリカンの使用寿命を延長する電動バリカンのカッタの提供。【解決手段】電動バリカンの本体前端のカッタセットを包含し、該カッタセットは固定カッタと可動カッタに接続されたスイングシートで構成され、該固定カッタと可動カッタの前端に複数の歯が設けられ、スイングシートが本体内部のモータにより駆動され、可動カッタが往復して固定カッタに対して位置がずれるよう動作する電動バリカンのカッタにおいて、可動カッタの歯の両側辺のエッジ下段位置に、上から下に外向きに延伸されるように鋭利な横切角度の外拡張面が設けられ、頭髪を切る時に、エッジと頭髪の接触面積が小さく、大幅に切断抵抗力が減らされている。【選択図】図５
0003138747.tif 000002
【実用新案登録請求の範囲】
【請求項１】
電動バリカンの本体前端に取り付けられたカッタセットを包含し、該カッタセットは固定カッタと可動カッタに接続されたスイングシートで構成され、該固定カッタと可動カッタの前端に複数の歯が設けられ、該スイングシートが本体内部のモータで駆動されて、該可動カッタが固定カッタと重なりあって往復して位置をずらすように動作する、電動バリカンのカッタにおいて、
該可動カッタのエッジの下段位置が外向きに延伸されて鋭利な横切角度を具えた外拡張面が形成されたことを特徴とする、電動バリカンのカッタ。
【請求項２】
請求項１記載の電動バリカンのカッタにおいて、該可動カッタのエッジに円弧形の連続する凹溝が形成されたことを特徴とする、電動バリカンのカッタ。
【請求項３】
請求項１又は２記載の電動バリカンのカッタにおいて、該可動カッタのエッジの断面の上段が直線状を呈し、下段が上から下に外向きに延伸された円弧線状を呈することを特徴とする、電動バリカンのカッタ。
【請求項４】
請求項１又は２記載の電動バリカンのカッタにおいて、該可動カッタのエッジが上から下に円弧線状に外向きに延伸されたことを特徴とする、電動バリカンのカッタ。
【請求項５】
請求項１又は２記載の電動バリカンのカッタにおいて、該可動カッタのエッジが上から下に直線状に外向きに延伸されたことを特徴とする、電動バリカンのカッタ。
【請求項６】
請求項１又は２記載の電動バリカンのカッタにおいて、該可動カッタのエッジの断面の上段が直線状を呈し、下段が上から下に外向きに延伸された直線状を呈することを特徴とする、電動バリカンのカッタ。
【請求項７】
請求項１又は２記載の電動バリカンのカッタにおいて、該可動カッタのエッジの断面の上段が円弧線状を呈し、下段が上から下に外向きに延伸された直線状を呈することを特徴とする、電動バリカンのカッタ。
【考案の詳細な説明】
【技術分野】
【０００１】
本考案は一種の電動バリカンのカッタに係り、特に、切断抵抗力が小さく、順調に急速に頭髪を切断できるカッタの構造に関する。
【背景技術】
【０００２】
一般に、電動バリカンのカッタは本体前端に設けられ、カッタは下方に設けられた固定カッタとその上方に重畳するように設けられてスイングシートに接続された可動カッタにより構成される。可動カッタは本体内のモータによりスイングシートが駆動されることで左右に往復運動を形成し、固定カッタと位置がずれるように往復運動を形成して頭髪を断する。
【０００３】
通常可動カッタの前端は複数の歯Ａで構成され、並びに鋸歯状に形成され、図１、２に示されるように、各歯Ａの側辺は頭髪Ｃと接触して頭髪を切断するエッジＢとされる。
【考案の開示】
【考案が解決しようとする課題】
【０００４】
図１、２に示される周知の上述の電動バリカンのカッタは、断面から見て、エッジＢがわずかに傾斜する直線状を呈し、垂直に近く、これにより、可動カッタが固定カッタに対して左右に移動してせん断力を発生する時、エッジＢと頭髪はほぼ面の接触を形成し、その接触面積は大きく、抵抗力が大きくなり、このため、頭髪切断時に本体内のモータによる駆動に力がかかり、頭髪が順調、快速に切断されにくくなる。この状況は頭髪のひっかかりを形成しやすく、或いは引っ張って頭髪を強硬に切断すると頭髪を損傷しやすく、切断の効果及び速度も大幅に低くなり、且つ歯が損壊しやすい。頭髪が簡単に切断できないために、切断の時間も増長し、モータが負荷過重により過熱し、バリカンが急速に損耗し、使用寿命が短くなる。このように周知の電動バリカンは使用者の要求に符合しないため、改善が求められている。
【０００５】
本考案は抵抗力が小さく、快速に順調に頭髪を切断できる、切断効果が良好である電動バリカンのカッタを提供することを主要な目的とする。
【０００６】
本考案は、また、頭髪切断が楽に行え、バリカンの使用寿命を延長できる電動バリカンのカッタを提供することを目的とする。
【０００７】
本考案は、さらにまた、頭髪の移動を防止でき、並びに比較的多くの頭髪を切断でき、切断速度をアップできる電動バリカンのカッタを提供することを目的とする。
【課題を解決するための手段】
【０００８】
本考案の電動バリカンのカッタは、電動バリカンの本体前端のカッタセットを包含し、該カッタセットは固定カッタと可動カッタに接続されたスイングシートで構成され、該固定カッタと可動カッタの前端に複数の歯が設けられ、スイングシートが本体内部のモータにより駆動され、可動カッタが往復して固定カッタに対して位置がずれるよう動作する電動バリカンのカッタにおいて、可動カッタの歯の両側辺のエッジ下段位置に、上から下に外向きに延伸されるように鋭利な横切角度の外拡張面が設けられたことを特徴とする。
【考案の効果】
【０００９】
本考案は電動バリカンの可動カッタと固定カッタの前端に複数の歯を設け、可動カッタの各歯の側辺にエッジを形成して頭髪の切断に供し、エッジの下段位置を上から下に外向きに延伸して鋭利な横切角度の外拡張面を形成し、これにより、可動カッタが固定カッタに対して位置がずれるように動いて頭髪を切断する時、切断の抵抗力を大幅に減らせ、これにより頭髪を急速に鋭利に切断でき、並びにモータの負荷の過大を防止し、電動バリカンの使用寿命を延長できる。このほか、可動カッタのエッジを複数の連続凹溝を具備した態様に形成でき、これにより比較的多くの頭髪を被覆し並びに頭髪の外向きの滑動を防止し、頭髪を更に急速に効率的に完成できる。
【考案を実施するための最良の形態】
【００１０】
図３、４、５は本考案の立体構造図、可動カッタの第１実施例の立体外観図、及び単一の歯の拡大立体図である。該可動カッタ２２の前端には三角形の鋸歯状の複数の歯１が設けられ、各歯１の両側辺に頭髪と接触して頭髪を切断可能なエッジ１３が設けられている。図６も参照されたい。図６は図５のＡ−Ａ’断面図である。断面から分かるように、エッジ１３の上段位置は直線状態を呈し、下段位置は上から下に外向きに円弧状に延伸され、鋭利な横切角度を具えた外拡張面１２が形成されている。該エッジ１３に複数の円弧形の連続する凹溝１４が設けられ、これらの連続する凹溝１４はエッジ１３の下段で円弧状に外向きに延伸されてエッジ１３の下段に波状の円弧面を形成している。
【００１１】
エッジ１３の下端の外拡張面が鋭利な切断角度を形成するため、図７に示されるように、可動カッタが横向きに往復移動して頭髪２を切断する時、エッジ１３の下端の外拡張面１２が鋭利な横切角度を形成し、頭髪と接触する面積が減り、エッジ１３全体が受ける抵抗力が大幅に減り、これにより急速に鋭利に頭髪２を切断でき、切断の速度が大幅にアップする。急速に頭髪２を切断でき、頭髪２を引っ張る必要がないため、頭髪切断の外観効果は従来のものより良好となり、並びに頭髪２の損傷を防止でき、エッジも損壊しにくい。頭髪２を鋭利に、順調に切断する時、機体内のモータ１１も順調に運転するため、負荷過大を防止でき、これによりモータの使用寿命を延長できる。
【００１２】
頭髪２を切断する時、上述の円弧形の連続する凹溝１４が比較的大量の頭髪を被覆、収容でき、頭髪が切断時に外向きに滑動して離脱するのを防止できる。これにより、上述の鋭利な切断角度を具えた外拡張面１２により大量で鋭利な頭髪切断が達成され、頭髪切断速度と効率が更にアップする。
【００１３】
図８、９は本考案の第２実施例を示す。該可動カッタ２２は材料の強度の違いによりその厚さを変更でき、該エッジ１３は上から下に外向きに延伸された円弧線を呈し、エッジ１３の下段部分には鋭利な横切角度を具備する外拡張面１２が形成されて、頭髪２との接触の面積が減らされ、切断の抵抗力が減らされている。
【００１４】
図１０、１１は本考案の第３実施例を示す。カッタの厚さが更に小さい時、エッジ１３は直線状に上から下に延伸され、下端の外拡張面１２が鋭利な切断角度を形成して急速に頭髪２を切断できる。
【００１５】
図１２、１３は本考案の第４実施例を示す。エッジ１３の上段は上から下に直線状を呈し、且つ下段の外拡張面１２は上から下に外向きに延伸された直線状を呈し、これにより頭髪２との接触の面積が減らされて、抵抗力が小さい切断角度を提供する。
【００１６】
図１４、１５は本考案の第５実施例を示し、そのエッジ１３の上段は円弧状を呈し、下段の外拡張面１２は外向きに延伸された直線状を呈する。
【００１７】
総合すると、本考案はエッジ１３の下端の外向きに延伸された外拡張面１２が形成する鋭利な横切角度により、頭髪切断時の抵抗力を大幅に減らせ、確実に本考案の目的を達成でき、急速に順調に頭髪２を切断できるカッタを提供し、ゆえに本考案の実用価値は明らかである。
【００１８】
以上は本考案の好ましい実施例の説明であって、本考案の範囲を限定するものではなく、本考案に基づきなし得る細部の修飾或いは変更はいずれも本考案の請求範囲に属するものとする。
【図面の簡単な説明】
【００１９】
【図１】周知の可動カッタの立体図である。
【図２】周知の可動カッタの頭髪切断の断面図である。
【図３】本考案の立体構造図である。
【図４】本考案の可動カッタの第１実施例の立体外観図である。
【図５】本考案の単一の歯の拡大立体図である。
【図６】図５のＡ−Ａ’断面図である。
【図７】図６の頭髪切断の表示図である。
【図８】本考案の第２実施例の歯の断面図である。
【図９】図８の頭髪切断の表示図である。
【図１０】本考案の第３実施例の歯の断面図である。
【図１１】図１０の頭髪切断の表示図である。
【図１２】本考案の第４実施例の歯の断面図である。
【図１３】図１２の頭髪切断の表示図である。
【図１４】本考案の第５実施例の歯の断面図である。
【図１５】図１４の頭髪切断の表示図である。
【符号の説明】
【００２０】
Ａ  歯              Ｂ  エッジ            Ｃ  頭髪
１  歯              １０  本体            １２  外拡張面
１３  エッジ        １４  凹溝            ２  頭髪
２０  カッタセット  ２１  固定カッタ      ２２  可動カッタ
２３  スイングシート
【図１】
0003138747.tif 000003
【図２】
0003138747.tif 000004
【図３】
0003138747.tif 000005
【図４】
0003138747.tif 000006
【図５】
0003138747.tif 000007
【図６】
0003138747.tif 000008
【図７】
0003138747.tif 000009
【図８】
0003138747.tif 000010
【図９】
0003138747.tif 000011
【図１０】
0003138747.tif 000012
【図１１】
0003138747.tif 000013
【図１２】
0003138747.tif 000014
【図１３】
0003138747.tif 000015
【図１４】
0003138747.tif 000016
【図１５】
0003138747.tif 000017